(57)【要約】【課題】フィードローラおよびアイドルローラによって積層部に放出された紙幣の先端を左右両ビルストッパに衝突させ、後端を羽根車の舌片でステージ上に叩き落すようにして集積させる集積部を有する紙葉類取扱装置において、放出紙幣の先端がステージの方向に下がってしまうと、放出紙幣の先端が放出された勢いでステージに落ち、紙幣の後端が羽根車の舌片の回転軌跡から外れてしまって叩き落とすことができなくなり、その紙幣後端に後続紙幣が衝突して集積不良が発生するという問題がある。【解決手段】左右両ビルストッパ１０の紙幣衝突面に、それぞれ複数の突起１１を設けたことを特徴とする。【選択図】        図１
2009073641.tif 000002
【特許請求の範囲】
【請求項１】
フィードローラおよびアイドルローラによって積層部に放出された紙幣の先端を左右両ビルストッパに衝突させ、後端を羽根車の舌片でステージ上に叩き落すようにして集積させる集積部を有する紙葉類取扱装置において、
左右両ビルストッパの紙幣衝突面に、それぞれ複数の突起を設けたことを特徴とする紙葉類取扱装置。
【請求項２】
請求項１において、複数の突起を千鳥状に設けたことを特徴とする紙葉類取扱装置。
【請求項３】
請求項１において、突起の先端形状を半球形状としたことを特徴とする紙葉類取扱装置。
【発明の詳細な説明】
【技術分野】
【０００１】
本発明は、現金自動取引装置等の装置内に投入（挿入）された紙幣や各種券類等の紙葉類を集積部に集積させる紙葉類取扱装置に関する。
【背景技術】
【０００２】
従来の現金自動取扱装置における紙葉類取扱装置を以下に図面を用いて説明する。
図１３は、集積部９の説明図であり、１はフィードローラ、２はアイドルローラ、３は羽根車、４は上下動するステージ、５はビルストッパ、６は放出口側の集積エリアガイド、７はビルストッパ側の集積エリアガイドである。この両集積エリアガイド６、７とステージ４によって紙幣の集積部を形成している。
【０００３】
上記フィードローラ１は図示しない動力伝達系によって回転駆動され、このフィードローラに圧接しているアイドルローラ２によって、紙幣８をステージ４に放出する。
羽根車３は、図示しない動力伝達系によって回転駆動され、一般的には上記アイドルローラ２の同軸線上にその軸線があって左右にそれぞれ1対づつ設けてあり、ゴム等弾性材製の舌片３１が放射線状に複数配置されており、搬送されてきた紙幣８がフィードローラ１とアイドルローラ２によって放出されると、回転する舌片３１が放出された紙幣８の後端を叩いてステージ４上に叩き落とす。
【０００４】
上記フィードローラ１およびアイドルローラ２と羽根車３はそれぞれが1組となって所定間隔をあけて対になって左右に配置されており、搬送紙幣の両側をフィードローラ１とアイドルローラ２で挟んで放出するようになっている。
ステージ４は、図示しない動力伝達系によって図において上下方向に移動可能となっている。紙幣８をステージ４上に集積する場合、ステージ３は放出される紙幣８の枚数やステージ４上の最上面の紙幣の高さ等の情報をもとに、逐次、図において上下方向に移動して位置が決められる。
【０００５】
ビルストッパ５は、ビルストッパ側の集積エリアガイド７に沿ってステージ４を挟んでフィードローラ１およびアイドルローラ２と対向する位置にそれぞれ配置されており、フィードローラ１とアイドルローラ２によって放出される紙幣８の先端が衝突するようにしてある。
また、ビルストッパ５には、図示しないスプリングが取り付けられており、集積時に、放出された紙幣の先端がビルストッパ５に衝突すると、放出紙幣が持つ運動エネルギーを吸収するようにしてある。
【０００６】
さらに、ビルストッパ５の紙幣衝突面には、図１１、図１２に示す如く、横方向に間隔をあけて溝５１が形成されている（例えば、特許文献１参照）。
このビルストッパ５の溝５１は、紙幣衝突時に放出紙幣の先端がそれに引っ掛かってステージ４方向に紙幣の先部が落ちないようにしている。これは、放出紙幣の先端が放出された勢いでステージ４に落ちると紙幣の後端が羽根車３の舌片３１の回転軌跡から外れてしまい叩き落とすことができなくなるためである。
【０００７】
つまり、紙幣はフィードローラ１とアイドルローラ２から約１０枚／秒程度の高速で順次に放出されるために、紙幣８の後端を舌片３１で叩き落さないで自然落下させると落下しきれない紙幣の後端に後続の放出された紙幣が衝突し、集積不良を発生させるからである。
【特許文献１】特開平１１−７９５２５号公報
【発明の開示】
【発明が解決しようとする課題】
【０００８】
しかしながら、上述した従来の技術によると、フィードローラとアイドルローラから放出された紙幣の先端がビルストッパに衝突する直前に、両側の羽根車のそれぞれの舌片が紙幣後端を押しながら叩く僅かなタイミングの違いによって紙幣が放出方向に向かって左右に傾く場合がある（図１４、図１５、図１６）。これは、舌片がゴム等の弾性体で構成されているために舌片が放出紙幣後端に接触するタイミングを厳密にそろえることが困難なためである。
【０００９】
このように紙幣が傾いたときには、ビルストッパの横方向の溝に対して放出紙幣の先端が傾いているために、放出紙幣の先端がビルストッパの溝に引っ掛からずにステージの方向に下がってしまう（図１７）。
放出紙幣の先端がステージの方向に下がってしまうと、上記の如く、放出紙幣の先端が放出された勢いでステージに落ち、紙幣の後端が羽根車の舌片の回転軌跡から外れてしまって叩き落とすことができなくなり、その紙幣後端に後続紙幣が衝突して集積不良が発生するという問題がある。
【００１０】
本発明は、このような問題を解決することを課題とする。
【課題を解決するための手段】
【００１１】
そこで本発明は、フィードローラおよびアイドルローラによって積層部に放出された紙幣の先端を左右両ビルストッパに衝突させ、後端を羽根車の舌片でステージ上に叩き落すようにして集積させる集積部を有する紙葉類取扱装置において、左右両ビルストッパの紙幣衝突面に、それぞれ複数の突起を設けたことを特徴とする。
【発明の効果】
【００１２】
このようにした本発明は、フィードローラおよびアイドルローラによって積層部に放出された紙幣の先端は、左右のビルストッパのそれぞれの突起に確実に引っ掛かることになり、紙幣の先端がステージの方向に下がることがなく、その結果、放出紙幣の後端が羽根車の舌片の回転軌跡から外れることがなくなり、確実にステージ上に叩き落とせることができるために、順次に高速で送られてくる後続紙幣の先端が衝突して集積不良を起こすことがなくなるという効果が得られる。
【発明を実施するための最良の形態】
【００１３】
以下、図面を参照して本発明の実施例を説明する。
【実施例】
【００１４】
図１は実施例を示すビルストッパの正面図、図２は側面図である。
ビルストッパ１０の紙幣衝突面に複数の突起１１を設ける。この突起１１の配置具合は、左右のビルストッパに対称となるように設けてもよいが、必ずしも左右が全く同じでなくてもよく、さらには、左右のビルストッパに設けるそれぞれの設置高さ（ビルストッパの縦方向の位置）の位置も全く同じ高さでなくてもよい。
【００１５】
つまり、この突起１１の配置具合は、上記の如く、左右のビルストッパ１０においてそれぞれどのような配列でもよいもので、必ずしも規則正しい配列でなくてもよく、また、突起の数が左右のビルストッパ１０において同じでなくてもよいもので、紙幣先端が多少傾いた状態でも左右のビルストッパのそれぞれの突起１１に引っ掛かればよい。
突起１１の代表的な配置例としては図示する如く、千鳥状に配置したものを実施例としてある。その千鳥状態も千鳥状を形成する最小数である３列とする。つまり、１つと２つが縦方向に交互に配列された状態であるのが具合がよい。
【００１６】
また、突起１１の形状は、その先端形状を半球形状としておくとよい。この半球形状によると、紙幣の先端が引っ掛かり易くしかも外れるときには外れ易くて具合がよいためである。しかし、他の形状であっては必ずしもだめというものではなく、任意に選択された形状でよく、例えば、円錐形状、角錐形状さらには先端に向けて上面が下がるように傾斜させた傾斜面を有する柱体形状の突起等でもよい。
【００１７】
このようにしたビルストッパ１０を従来と同様に装置に取り付けて集積部９を構成するもので、フィードローラ１、アイドルローラ２、放射状に舌片３１を有する羽根車３、上下動するステージ４、放出口側の集積エリアガイド６、ビルストッパ側の集積エリアガイド７等があり、この両集積エリアガイド６、７とステージ４によって紙幣の収納部を形成する構成等は上記と同様であるために説明は省略する。
【００１８】
つぎに、上述した構成の作用について説明する。
まず、フィードローラ１とアイドルローラ２からの放出紙幣の先端が正常に水平に放出された場合について説明する。
搬送されてきた紙幣８がフィードローラ１とアイドルローラ２から放出されると、放出紙幣の先端がビルストッパ１０に衝突する。左右のビルストッパ１０は、紙幣の衝突によって図示しないスプリングの弾性力に対抗してフィードローラ１とアイドルローラ２から離れる方向に移動し、紙幣の先端は、左右のビルストッパ１０において、何れかの突起１１に引っ掛かり、ステージ４には下がらない（図３、図４（ａ）（ｂ））。
【００１９】
フィードローラ１とアイドルローラ２から放出された紙幣８は、左右の羽根車３の舌片３１によって後部が叩かれてステージ４上に叩き落とされる。この間に、ビルストッパ１１は図示しないスプリングの反力によって元の待機位置に復帰する（図５）。
放出紙幣の先端はビルストッパ１１の突起１１から外れ、ステージ４上に落下して集積される（図６）。
【００２０】
つぎに、フィードローラ１とアイドルローラ２から放出された紙幣の先端がビルストッパに衝突する直前に、左右の羽根車３の舌片３１によって紙幣の後端を押しながら叩く僅かなタイミングの違いによって放出紙幣の先端が傾いた場合について説明する。
搬送されてきた紙幣８がフィードローラ１とアイドルローラ２から放出されると、放出紙幣の先端が左右に傾いた状態で左右のビルストッパ１０に衝突する。ビルストッパ１０は、紙幣の衝突によって図示しないスプリングの弾性力に対抗してフィードローラ１とアイドルローラ２から離れる方向に移動し、紙幣の先端は、傾いた状態のままで左右のビルストッパ１０のそれぞれにおいて何れかの突起１１に引っ掛かり、ステージ４には下がらない（図７、図８（ａ）（ｂ））。
【００２１】
フィードローラ１とアイドルローラ２から放出された紙幣８は、左右の羽根車３の舌片３１によって後部が叩かれてステージ４上に叩き落とされる。この間に、ビルストッパ１１は図示しないスプリングの反力によって元の待機位置に復帰する（図９）。
放出紙幣の先端は両ビルストッパ１１の突起１１から外れ、ステージ４上に落下して集積される（図１０）。
【００２２】
以上説明した本実施例によると、フィードローラ１とアイドルローラ２から放出された紙幣の先端がビルストッパに衝突する直前に、左右の羽根車３の舌片３１によって後端を押しながら叩く僅かなタイミングの違いによって放出紙幣の先端が傾いた場合であっても、左右両ビルストッパ１０の紙幣衝突面のそれぞれに複数の突起１１が設けてあり、放出紙幣８の先端は、その左右のビルストッパ１０のそれぞれのいずれかの突起１１に確実に引っ掛かることになり、紙幣８の先端がステージ４の方向に下がることがなく、その結果、放出紙幣の後端が羽根車３の舌片３１の回転軌跡から外れることがなくなり、確実にステージ４上に叩き落とすことができるために、紙幣後端に高速で順次に送られてくる後続紙幣の先端が衝突して集積不良を起こすようなことがなくなる。
【００２３】
また、ビルストッパ１０の突起１１の先端形状を半球形状のようにしておくと、紙幣の先端が引っ掛かり易くしかも外れ易くて具合がよいために、放出紙幣の後端が羽根車３の舌片３１で叩き落とされたとき、放出紙幣の先端が確実に突起から外れてステージ４上に落下することができ、その結果、ステージ上最上面の紙幣位置が上昇し続けて、紙幣を放出する空間が狭くなっても集積不良を引き起こすことがなくなるものである。
【図面の簡単な説明】
【００２４】
【図１】実施例を示すビルストッパの正面図
【図２】同側面図
【図３】作動状態を示す説明図
【図４】作動状態を示す説明図
【図５】作動状態を示す説明図
【図６】作動状態を示す説明図
【図７】作動状態を示す説明図
【図８】作動状態を示す説明図
【図９】作動状態を示す説明図
【図１０】作動状態を示す説明図
【図１１】従来例を示すビルストッパの正面図
【図１２】同側面図
【図１３】集積部の説明図
【図１４】作動状態を示す説明図
【図１５】作動状態を示す説明図
【図１６】作動状態を示す説明図
【図１７】作動状態を示す説明図
【符号の説明】
【００２５】
１  フィードローラ
２  アイドルローラ
３  羽根車
３１  舌片
４  ステージ
６  放出口側の集積エリアガイド
７  ビルストッパ側の集積エリアガイド
８  紙幣
９  集積部
１０  ビルストッパ
１１  突起
【図１】
2009073641.tif 000003
【図２】
2009073641.tif 000004
【図３】
2009073641.tif 000005
【図４】
2009073641.tif 000006
【図５】
2009073641.tif 000007
【図６】
2009073641.tif 000008
【図７】
2009073641.tif 000009
【図８】
2009073641.tif 000010
【図９】
2009073641.tif 000011
【図１０】
2009073641.tif 000012
【図１１】
2009073641.tif 000013
【図１２】
2009073641.tif 000014
【図１３】
2009073641.tif 000015
【図１４】
2009073641.tif 000016
【図１５】
2009073641.tif 000017
【図１６】
2009073641.tif 000018
【図１７】
2009073641.tif 000019